(57)【要約】  脱毛のシュガーリング手順を効率的に実行するための適切な手および指配向を教育するための、指整列トレーニングデバイスおよび方法。一例において、手袋は、親指および人差し指用の開口部を有し、指整列ガイドは、小指、環指、および中指の屈曲指配置のために、背側または掌側スリーブポケットに挿入される。指整列ガイドは、指が屈曲するにつれて屈曲し、シュガーリング手順を通して、中指、環指、および小指の指先の所望の整列を維持する。他の例において、指整列ガイドは、指スリーブに取り外し可能に取り付けられるか、または貼り付けられる。他の例において、中指、環指、および小指を配置するための背側または掌側形態が提供される。
2021517211.tif 000002
【特許請求の範囲】
【請求項１】
美容シュガーリング脱毛手順を実行する間の、小指および小指先、環指および環指先、ならびに中指および中指先の適切な指の配置を教育するための指整列トレーニングデバイスであって、前記トレーニング手袋が、
第１の指関節、第２の指関節、および第３の指関節での小指の屈曲を形成する第１の屈曲小指整列ガイドを含む小指部分と、
第１の指関節、第２の指関節、および第３の指関節での環指の屈曲を形成する第１の屈曲環指整列ガイドを含む環指部分と、
第１の中指整列ガイドを含む中指部分と、を備え、
これにより、前記小指先、環指先、および中指先が離隔配置されるとき、前記屈曲小指整列ガイド、前記屈曲環指整列ガイド、および前記中指整列ガイドが、前記小指先、前記環指先、および前記中指先を線に沿って配置するように構成される、指整列トレーニングデバイス。
【請求項２】
前記トレーニングデバイスが、トレーニング手袋である、請求項１に記載の指整列トレーニングデバイス。
【請求項３】
前記屈曲小指整列ガイド、前記屈曲環指整列ガイド、および前記中指整列ガイドが、別々の手袋の指挿入部である、請求項２に記載の指整列トレーニング手袋。
【請求項４】
第１の小指ポケットであって、前記第１の屈曲小指整列ガイドが、前記小指ポケットに挿入されるような、第１の小指ポケットを含む小指スリーブと、
第１の環指ポケットであって、前記第１の屈曲環指整列ガイドが、前記小指ポケットに挿入されるような、第１の環指ポケットを含む環指スリーブと、
第１の中指ポケットであって、前記第１の中指整列ガイドが、前記中指ポケットに挿入されるような、第１の中指ポケットを含む中指スリーブと、を更に備える、請求項３に記載のトレーニング手袋。
【請求項５】
前記第１の小指ポケット、前記第１の環指ポケット、および前記第１の中指ポケットが各々、前記トレーニング手袋の前記小指スリーブ、前記環指スリーブ、および前記中指スリーブの背側部分にそれぞれ設けられる、請求項４に記載のトレーニング手袋。
【請求項６】
前記第１の小指ポケット、前記第１の環指ポケット、および前記第１の中指ポケットが各々、前記トレーニング手袋の前記小指スリーブ、前記環指スリーブ、および前記中指スリーブの掌側部分にそれぞれ設けられる、請求項４に記載のトレーニング手袋。
【請求項７】
前記第１の屈曲小指整列ガイド、前記第１の屈曲環指整列ガイド、および前記中指整列ガイドが各々、前記トレーニング手袋の前記小指スリーブ、前記環指スリーブ、および前記中指スリーブの前記背側にそれぞれ設けられるポケットに挿入され、
第２の屈曲小指整列ガイドおよび第２の屈曲環指整列ガイドが各々、前記トレーニング手袋の前記小指部分および前記環指部分の前記掌側にそれぞれ設けられるポケットに挿入される、請求項４に記載のトレーニング手袋。
【請求項８】
小指スリーブであって、前記第１の屈曲小指整列ガイドが、前記小指スリーブの前記背側に取り外し可能に取り付けられる、小指スリーブと、
環指スリーブであって、前記第１の屈曲環指整列ガイドが、前記環指スリーブの前記背側に取り外し可能に取り付けられる、環指スリーブと、
中指スリーブであって、前記第１の中指整列ガイドが、前記中指スリーブの前記背側に取り外し可能に取り付けられる、中指スリーブと、を更に備える、請求項２に記載のトレーニング手袋。
【請求項９】
小指スリーブであって、前記第１の屈曲小指整列ガイドが、前記小指スリーブの前記掌側に取り外し可能に取り付けられる、小指スリーブと、
環指スリーブであって、前記第１の屈曲環指整列ガイドが、前記環指スリーブの前記掌側に取り外し可能に取り付けられる、環指スリーブと、
中指スリーブであって、前記第１の中指整列ガイドが、前記中指スリーブの前記掌側に取り外し可能に取り付けられる、中指スリーブと、を更に備える、請求項２に記載のトレーニング手袋。
【請求項１０】
小指スリーブであって、
前記第１の屈曲小指整列ガイドが、前記小指スリーブの前記背側に取り外し可能に取り付けられ、
第２の屈曲小指整列ガイドが、前記小指スリーブの前記掌側に取り外し可能に取り付けられる、小指スリーブと、
環指スリーブであって、
前記第１の屈曲環指整列ガイドが、前記環指スリーブの前記背側に取り外し可能に取り付けられ、
第２の屈曲小指整列ガイドが、前記小指スリーブの前記掌側に取り外し可能に取り付けられる、環指スリーブと、を更に備える、請求項２に記載のトレーニング手袋。
【請求項１１】
小指スリーブであって、前記第１の屈曲小指整列ガイドが、前記小指スリーブに貼り付けられる、小指スリーブと、
環指スリーブであって、前記第１の屈曲環指整列ガイドが、前記環指スリーブに貼り付けられる、環指スリーブと、
中指スリーブであって、前記第１の中指整列ガイドが、前記中指スリーブに貼り付けられる、中指スリーブと、を更に備える、請求項２に記載のトレーニング手袋。
【請求項１２】
前記第１の屈曲小指整列ガイド、前記第１の屈曲環指整列ガイド、および前記第１の中指整列ガイドが、第１の形態として設けられる、請求項１に記載のトレーニングデバイス。
【請求項１３】
前記第１の形態が、前記小指、環指、または中指のうちの少なくとも１つの前記背側に取り付けられる、請求項１２に記載のトレーニングデバイス。
【請求項１４】
前記第１の形態が、前記小指、環指、または中指のうちの少なくとも１つの前記掌側に取り付けられる、請求項１２に記載のトレーニング手袋。
【請求項１５】
第２の形態であって、
第１の指関節、第２の指関節、および第３の指関節での小指の屈曲を形成する第２の屈曲小指整列ガイドと、
第１の指関節、第２の指関節、および第３の指関節での環指の屈曲を形成する第２の屈曲環指整列ガイドと、を含む第２の形態を更に備え、
これにより、前記第２の形態が、前記小指または環指のうちの少なくとも１つの前記掌側に取り付けられる、請求項１３に記載のトレーニング手袋。
【請求項１６】
前記小指、前記環指、および前記中指の先端部を曝露する複数の開口部を更に備える、請求項２に記載のトレーニング手袋。
【請求項１７】
親指切り抜き部を更に備える、請求項２に記載のトレーニング手袋。
【請求項１８】
人差し指切り抜き部を更に備える、請求項２に記載のトレーニング手袋。
【請求項１９】
美容シュガーリング脱毛手順を実行するための技師の手および指配置を教育するためのトレーニング方法であって、
指整列トレーニングデバイスであって、
小指の第１の指関節、小指の第２の指関節、および小指の第３の指関節の屈曲を形成する第１の屈曲小指整列ガイドを含む、小指部分と、
環指の第１の指関節、環指の第２の指関節、および環指の第３の指関節の屈曲を形成する第１の屈曲環指整列ガイドを含む、環指部分と、
第１の中指整列ガイドを含む、中指部分と、を備え、
これにより、前記小指先、環指先、および中指先が離隔配置されるとき、前記屈曲小指整列ガイド、前記屈曲環指整列ガイド、および前記中指整列ガイドが、前記小指先、前記環指先、および前記中指先を線に沿って配置するように構成可能である、指整列トレーニングデバイスを準備することと、
前記第１の小指整列ガイドを所望の配向に構成することと、
前記第１の環指整列ガイドを所望の配向に構成することと、
前記第１の中指整列ガイドを所望の配向に構成することと、
前記指整列トレーニングデバイスを装着することと、
美容シュガーリング脱毛手順を実行する間、前記指整列トレーニングデバイスを着用することと、を含む、トレーニング方法。
【請求項２０】
トレーニングデバイスを準備することが、
前記第１の屈曲小指整列ガイドと、
前記第１の屈曲環指整列ガイドと、
前記第１の中指整列ガイドと、を備える、トレーニング手袋を準備することを更に含む、請求項１９に記載のトレーニング方法。
【請求項２１】
トレーニング手袋を準備することが、
第１の小指ポケットを有する第１の小指スリーブを設けることと、
前記第１の屈曲小指整列ガイドを前記第１の小指ポケットに挿入することと、
第１の環指ポケットを有する第１の環指スリーブを設けることと、
前記第１の屈曲環指整列ガイドを前記第１の環指ポケットに挿入することと、
前記第１の小指整列ガイドを所望の配向に構成し、前記トレーニング手袋を装着した後に前記第１の環指整列ガイドを所望の配向に構成することと、を更に含む、請求項２０に記載のトレーニング方法。
【請求項２２】
第１の小指ポケットを前記小指部分に設けることが、
第１の小指ポケットを小指スリーブの背側部分に設けることを更に含む、請求項２１に記載のトレーニング方法。
【請求項２３】
第１の小指ポケットを前記小指部分に設けることが、
第１の小指ポケットを小指スリーブの掌側部分に設けることを更に含む、請求項２１に記載のトレーニング方法。
【請求項２４】
トレーニング手袋を準備することが、
第１の小指スリーブであって、
前記第１の小指スリーブの背側部分上の第１の小指ポケットと、
前記第１の小指スリーブの掌側部分上の第２の小指ポケットと、を有する、第１の小指スリーブを設けることと、
前記第１の屈曲小指整列ガイドを前記第１の小指ポケットに挿入することと、
第２の小指整列ガイドを前記第２の小指ポケットに挿入することと、
第１の環指スリーブであって、
前記第１の環指スリーブの背側部分上の第１の環指ポケットと、
前記第１の環指スリーブの掌側部分上の第２の環指ポケットと、を有する、第１の環指スリーブを設けることと、
前記第１の屈曲環指整列ガイドを前記第１の環指ポケットに挿入することと、
第２の環指整列ガイドを前記第２の環指ポケットに挿入することと、を更に含む、請求項２１に記載のトレーニング方法。
【請求項２５】
トレーニング手袋を準備することが、
前記第１の屈曲小指整列ガイドを小指背側部分に取り外し可能に取り付けることと、
前記第１の屈曲環指整列ガイドを環指背側部分に取り外し可能に取り付けることと、
前記第１の中指整列ガイドを中指背側部分に取り外し可能に取り付けることと、を更に含む、請求項２０に記載のトレーニング方法。
【請求項２６】
前記トレーニング手袋を装着した後に前記小指および第１の小指整列ガイドを屈曲することによって、前記小指整列ガイドを所望の配向に構成することと、
前記トレーニング手袋を装着した後に前記環指および第１の環指整列ガイドを屈曲することによって、前記環指整列ガイドを所望の配向に構成することと、を更に含む、請求項２５に記載のトレーニング方法。
【請求項２７】
トレーニング手袋を準備することが、
前記第１の屈曲小指整列ガイドを小指掌側部分に取り外し可能に取り付けることと、
前記第１の屈曲環指整列ガイドを環指掌側部分に取り外し可能に取り付けることと、
前記第１の屈曲中指整列ガイドを中掌側掌側部分に取り外し可能に取り付けることと、を更に含む、請求項２０に記載のトレーニング方法。
【請求項２８】
前記トレーニング手袋を装着した後に前記小指および第１の小指整列ガイドを屈曲することによって、前記小指整列ガイドを所望の配向に構成することと、
前記トレーニング手袋を装着した後に前記環指および第１の環指整列ガイドを屈曲することによって、前記環指整列ガイドを所望の配向に構成することと、を更に含む、請求項２７に記載のトレーニング方法。
【請求項２９】
トレーニング手袋を準備することが、
前記第１の屈曲小指整列ガイドを小指背側部分に取り外し可能に取り付け、第２の屈曲小指整列ガイドを小指掌側部分に取り外し可能に取り付けることと、
前記第１の屈曲環指整列ガイドを環指掌側部分に取り外し可能に取り付けることと、
第２の屈曲環指整列ガイドを環指掌側部分に取り外し可能に取り付けることと、更に含む、請求項２０に記載のトレーニング方法。
【請求項３０】
前記トレーニング手袋を装着した後に前記小指、前記第１の小指整列ガイド、および前記第２の小指ガイドを屈曲することによって、前記小指整列ガイドを所望の配向に構成することと、
前記トレーニング手袋を装着した後に前記環指、前記第１の環指整列ガイド、および前記第２の環指ガイドを屈曲することによって、前記環指整列ガイドを所望の配向に構成することと、を更に含む、請求項２９に記載のトレーニング方法。
【請求項３１】
トレーニング手袋を準備することが、
前記第１の屈曲小指整列ガイドを小指部分に貼り付けることと、
前記第１の屈曲環指整列ガイドを環指部分に貼り付けることと、
前記第１の屈曲中指整列ガイドを中指部分に貼り付けることと、を更に含む、請求項２０に記載のトレーニング方法。
【請求項３２】
前記第１の屈曲小指整列ガイド、前記第１の屈曲環指整列ガイド、および前記第１の中指整列ガイドが、第１の形態として設けられる、請求項１９に記載のトレーニング方法。
【請求項３３】
前記第１の形態が、前記小指、環指、または中指のうちの少なくとも１つの前記背側に取り付けられる、請求項３２に記載のトレーニング方法。
【請求項３４】
前記第１の形態が、前記小指、環指、または中指のうちの少なくとも１つの前記掌側に取り付けられる、請求項３２に記載のトレーニング方法。
【請求項３５】
トレーニング手袋を準備することが、
第２の形態であって、
第１の指関節、第２の指関節、および第３の指関節で小指の屈曲を形成する第２の屈曲小指整列ガイドと、
第１の指関節、第２の指関節、および第３の指関節で環指の屈曲を形成する第２の屈曲環指整列ガイドと、を 含み、
これにより、前記第２の形態が、前記小指または環指のうちの少なくとも１つの前記掌側に取り付けられる、第２の形態を準備することを更に含む、請求項３２に記載のトレーニング方法。
【発明の詳細な説明】
【技術分野】
【０００１】
本発明は、脱毛用の糖組成物を塗布するためのトレーニングデバイスおよびトレーニング方法に関する。
【背景技術】
【０００２】
従来、脱毛は、ワックスによって実行されてきた。ワックスは、典型的には、顧客が除去を希望する毛に塗布される高温または低温ワックスを使用して、身体用ワックス専門家によってサロンにおいて行われる。ワックス製品は、石油系樹脂および化学物質で作製され、これらは、汚染または相互汚染を受けやすくあり得る。高温ワックスは、皮膚の熱傷、皮膚細胞の損傷、毛嚢口または周囲領域の瘢痕、および顔料沈着を引き起こす危険性が存在する。ワックスは皮膚細胞またはそれが塗布される任意の表面に接着し、それを引き離すことは痛みを伴う。ワックス時、不要な毛は自然な成長方向とは反対方向に除去され、これは過度のレベルの痛みを引き起こし、内生毛の主要な原因となる。皮膚下に閉じ込められた毛は痛みも伴い、見た目が悪く、感染症を引き起こし得る。
【０００３】
毛嚢は、毛を生成する皮膚器官である。毛の生成は、成長相（成長期）および退行相（退行期）および休止相（休止期）を含む相において生じる。幹細胞は、毛の生成に主に関与する。
【０００４】
成長期は、毛嚢の活性成長相である。毛根は急速に分裂し、毛幹を増大させる。この相の間、毛は２８日毎に約１ｃｍ成長する。頭髪は、この活性成長相に２〜７年間留まる。毛嚢が成長期に留まる時間量は、遺伝的に決定されている。毛の成長および脱毛パターンに影響を与え得る、疾患、薬剤、ストレス、および過酷なダイエットなどの他の要因が存在する。一般に、遺伝子が主要な役割を果たす。成長期の終了時、毛嚢は休止期に入る。
【発明の概要】
【０００５】
「高度身体シュガーリング」は、男性、女性、および子供などの不要な顔面および身体の毛を除去するための特有かつ革新的なプロセスである。
【０００６】
いくつかの例において、本発明の方法は、サロンおよびスパ療法施設を通して、高度身体シュガーリングおよび皮膚コンディショニング治療において、訓練された専門家によって実行される。他の実施例において、本方法は、家庭で実行されてもよい。
【０００７】
シュガーリングは、ワックスとは全く異なる考え方およびアプローチを必要とする。記載される方法において、全ての天然シュガーリング組成物は生きた皮膚細胞には接着しないため、組成物が除去されるとき、組成物は死んだ皮膚細胞を穏やかに剥離し、新しい皮膚を残す。適切な技術が使用されれば、後の痛み、粘着、皮下出血、または熱傷は存在しない。
【０００８】
一例において、シュガーリング組成物は、純粋な砂糖、水、およびレモンを含む。それらは食用で美味しいものであり、それらは水溶性であるため、ある領域に誤って塗布した場合には容易に濯ぎ流すことができる。シュガーリングは、全ての毛色および質感を抽出するだろう。シュガーリング法は、毛の自然な成長方向に毛を除去する。
【０００９】
糖ペーストが塗布されるとき、それは毛嚢内に浸透し、その毛根の潤滑化を助ける。シュガーリングプロセスは、皮膚のトーンおよび質感を改善しながら、全ての皮膚タイプおよび皮膚色の処置に成功するだろう。シュガーリングは、内生毛を除去し、新たな内生毛の発生の予防を助けるだろう。シュガーリングは体温で行われるため、このプロセスは、皮膚の熱傷の危険性を排除する。処置は、皮膚ではなく毛に接着し、毛根からのより容易な除去のために毛根を潤滑する。
【００１０】
これらの要因は、自然な成長方向への脱毛と組み合わせて、誰に対してもより一層快適な経験を作り出す。
【００１１】
シュガーリング技術は、ユーザーの感覚、皮膚の質、および毛の低減量において異なる。シュガーリングは、全て自然で食用の糖ペーストであり、皮膚を熱傷するほどには加熱されない。しかしながら、処置プロセスが安楽および快適さをもって実行されない場合、それは皮膚に対して強引な処置となり、過度の痛み、皮下出血、および皮膚のリフティングまたは断裂さえも引き起こし得る。
【００１２】
出願人は、１９９１年からシュガーリング脱毛を実施および研究し、世界中の美容学校で教育されているシュガーリング脱毛に対するＫｅｎｎｅｄｙ  Ｔｈｅｏｒｙ（登録商標）を開発してきた。彼女のシュガーリング技術におけるマイクロ運動のビデオを分析することによって、出願人は、完全なシュガーリングのための６ステップを使用するＫｅｎｎｅｄｙ  Ｓｕｇａｒｉｎｇ  Ｔｅｃｈｎｉｑｕｅ  Ｔｈｅｏｒｙ（登録商標）を作製し、この技術を教育するために教官のトレーニングを開始した。
【００１３】
適切に実行された場合、６ステップの技術は、効率的かつ快適なシュガーリング手順を提供する。顧客は、処置、ならびに処置後の彼らの皮膚の外見および感触を一貫して称賛している。
【００１４】
６ステップは、正確な方法であり、６ステップの教育の一態様は、プロセスの様々なステップの間の手および指の特定の配向について技師の理解および実践を助けることである。手および指の特定の配向は、顧客の経験の改善および施術者の疲労の低減の両方のために重要である。施術者の技術の各ステップを審査することによって、教官は、修正が必要とされる箇所を特定することができる。
【００１５】
この技術の教育における一般的な課題は、多くの研修生が、彼らの手および指を十分に正しく配置および保持して、最も穏やかで効率的な処置を確実にすることができないことである。この課題に対処するために、出願人は、彼らの指の整列ガイドとしての役割を果たすデバイスを発明し、指整列デバイスをトレーニング法に組み込んだ。ガイドは、教官が実際の技術により良く注目することができるように、施術者の指を整列する人間工学的に正しい手および指の配置を確立する。ガイドは、師弟両方のストレスを低減し、より効果的な学習プロセスを促進する。
【００１６】
一例において、指整列トレーニングデバイスはトレーニング手袋であり、屈曲小指整列ガイドが小指スリーブの背側（指の裏側）ポケットに挿入され、屈曲環指整列ガイドが環指スリーブの背側ポケットに挿入され、中指整列ガイドが中指スリーブの背側ポケットに挿入される。研修生が手袋を嵌めた後、中指、環指、および小指が所望の配向へと屈曲し、対応する整列ガイドが屈曲し、研修生の中指、環指、および小指を所望の屈曲に保持する。
【００１７】
別の例において、指整列トレーニングデバイスはトレーニング手袋であり、屈曲小指整列ガイドが小指スリーブの掌側（指の表側）ポケットに挿入され、屈曲環指整列ガイドが環指スリーブの掌側ポケットに挿入され、中指整列ガイドが中指スリーブの掌側ポケットに挿入される。
【００１８】
別の例において、指整列トレーニングデバイスはトレーニング手袋であり、第１の屈曲
小指整列ガイドが小指スリーブの背側ポケットに挿入され、第２の屈曲小指整列ガイドが小指スリーブの掌側ポケットに挿入され、第１の屈曲環指整列ガイドが小指スリーブの背側ポケットに挿入され、第２の屈曲小指整列ガイドが環指スリーブの掌側ポケットに挿入され、屈曲環指整列ガイドが環指スリーブの背側ポケットに挿入され、第１の中指整列ガイドが中指スリーブの背側ポケットに挿入される。所望される場合、第２の第１の中指整列ガイドが中指スリーブの掌側ポケットに挿入される。
【００１９】
別の例において、指整列トレーニングデバイスは、着脱可能な指整列ガイドを有する手袋であり、ガイドは、面ファスナー、両面テープ、スナップフィット、または他の手段により取り外し可能かつ取り付け可能である。
【００２０】
別の例において、指整列トレーニングデバイスは手袋であり、指整列ガイドは、手袋に貼り付けられている。
【００２１】
他の実施例において、指整列トレーニングデバイスは、指整列ガイドがある形態の一部である、１つ以上の形態として提供される。
【００２２】
理論
Ｋｅｎｎｅｄｙ  Ｓｕｇａｒｉｎｇ  Ｔｅｃｈｎｉｑｕｅ  Ｔｈｅｏｒｙ（登録商標）と組み合わせて、Ａｌｅｘａｎｄｒｉａ  Ｐｒｏｆｅｓｓｉｏｎａｌ（登録商標）（ＡＰ）糖ペースト配合物を使用したシュガーリング脱毛のためのＫｅｎｎｅｄｙ  Ｔｈｅｏｒｙ（登録商標）は、以下の通りである。一実施形態において、ＡＰ糖ペースト配合物は、以下のステップ２００「成形プロセス」に記載されるＫｅｎｎｅｄｙ  Ｓｕｇａｒｉｎｇ  Ｔｅｃｈｎｉｑｕｅ  Ａｐｐｌｉｃａｔｉｏｎを使用して適用される。本出願の技術は、糖ペーストが毛嚢内へと透過し、その中の毛を潤滑すること、ならびに毛および内毛根鞘を掴むことを可能にする。基本的に、糖は、それが接触する毛嚢の内側にある全てのものに付着する。
【００２３】
早期成長段階における脱毛は、より迅速な改善（薄毛化）および毛の喪失を促進するため、後続するシュガーリング処置において、毛量および除去の困難が減少する。成長段階にある間に、毛が無傷かつその自然な方向で抜き取られる場合、それは毛嚢全体を通る大きな毛球を有し、その毛が抜き取られるとき、それは、それと共に内毛根鞘のいくらかを取り去る。内毛根鞘はまた、毛の成長の補助に関与する毛母細胞も保有する。我々は皆、所定量の毛母細胞をもって生まれており、毛嚢の内毛根鞘を何度も喪失することによって、毛の成長源の喪失を助けることになる。
【００２４】
Ｋｅｎｎｅｄｙ  Ｔｈｅｏｒｙ（登録商標）に加えて、早期成長段階において毛を抜き取る場合、毛が真皮乳頭（毛の供給源／血管からの栄養分）に依然として付着している間に脱毛している。
【００２５】
出願人は、早期成長段階における毛の抜き取りが、血管の麻痺を引き起こすことを理論化する。麻痺は、時折瞬時に生じることもあり、これにより、所与の毛嚢に栄養供給を続ける血管が存在しなくなる。これは、単回処置後に時折毛が全く成長しなくなることがある理由を説明する。
【００２６】
出願人は、時折血管のうちのいくつかのみが麻痺されること、ならびにこの部分的な麻痺が瞬時の改善結果および進行中の改善結果が見られる理由であることを理論化する。この現象は一般に、毛が早期成長段階で処置される（毛が１／２ｍｍ〜最大２ｍｍなどのかなり短い処置を意味する）場合に観察される。毛の長さは、主に身体における毛の位置にも依存する。
【００２７】
これらの理論は、Ｋｅｎｎｅｄｙ  Ｔｈｅｏｒｙ（登録商標）を拡張して、Ａｌｅｘａｎｄｒｉａ  Ｐｒｏｆｅｓｓｉｏｎａｌ（登録商標）Ｓｙｓｔｅｍが、即時の優れた瞬時ねじれ型成長および毛の改善（これら全てが永久的な結果につながる）の提供に成功している理由を説明する。
【図面の簡単な説明】
【００２８】
【図１】開いた右手の上面図である。
【図２】脱毛のための例示的なシュガーリング技術を例示する流れ図である。
【図３Ａ】２の流れ図のステップ１００の「握手位置」における手および手首の正面図の例示である。
【図３Ｂ】図３Ａの指および手首の整列、ならびに指の分離を示す側面図である。
【図４】図２の流れ図のステップ２００の糖ペースト「成形」の指および手首の整列を示す正面図である。
【図５】図２の流れ図のステップ３００の「弛緩」手首降下の指および手首の整列を示す正面図である。
【図６】図２の流れ図のステップ４００の「航空機」離脱の指および手首の整列を示す正面図である。
【図７Ａ】図２の流れ図のステップ５００の「転がし」の指および手首の整列を示す正面図である。
【図７Ｂ】図２の流れ図のステップ５００の「フリック（ピシッと剥がす、さっと剥がす；flick）準備」の指および手首の整列を示す正面図である。
【図８】図２の流れ図のステップ６００の「キックオフ（ピシッと剥がす、さっと剥がす；kick off）」の指および手首の整列を示す正面図である。
【図９】図２の流れ図のステップ１００の「握手位置」の指および手首の整列を、糖ペーストと共に示す正面図の例示である。
【図１０】図２の流れ図のステップ２００の糖ペースト「成形」の指および手首の整列ならびに糖ペーストを示す正面図である。
【図１１】図２の流れ図のステップ３００の「弛緩」手首降下の指および手首の整列ならびに糖ペーストを示す正面図である。
【図１２】図２の流れ図のステップ４００の「航空機」離脱の指および手首の整列ならびに糖ペーストを示す正面図である。
【図１３】図２の流れ図のステップ６００の「キックオフ」の上昇した手を示す正面図である。
【図１４】図１３の「キックオフ」後の握手位置への戻りを示す正面図である。
【図１５】「キックオフ」後の成形および図１４の握手位置への戻りを示す正面図である。
【図１６】図１４の「成形」ステップ後の「フリック準備」のための「転がし」および握手位置への戻りを示す正面図である。
【図１７】図１６の「フリック準備」後の「キックオフ」を示す正面図である。
【図１８】図１７の「キックオフ」後の「素早い戻し（snap back）」を示す正面図である。
【図１９】シュガーリング組成物の塗布のために、右手が第１の配向に保持されている、右側斜視図である。
【図２０】シュガーリング組成物の塗布のために、右手が第２の配向に保持されている、後部左側斜視図である。
【図２１】シュガーリング組成物の塗布のために、右手が第３の配向に保持されている、上部斜視図である。
【図２２Ａ】トレーニング手袋の一実施形態の上面図である。
【図２２Ｂ】図２２Ａのトレーニング手袋の実施形態の裏の掌側の側面図である。
【図２３】完全なシュガーリングのための６ステップを要約する。
【図２４】完全なシュガーリングのための６ステップを例示する。
【図２５】第２の例示的なトレーニング手袋の背面図である。
【図２６】スタンド上の図２５の第２の例示的なトレーニング手袋の背面図である。
【図２７】スタンド上の図２５の第２の例示的なトレーニング手袋の側面図であり、屈曲した指位置を示す。
【図２８】図２５の第２の例示的な手袋の背面図である。
【図２９】環指、中指、および小指の表面部分にスリーブが設けられている、第２の例示的な手袋の正面図である。
【発明を実施するための形態】
【００２９】
本明細書において、「掌」という用語は手の前部分の中心領域を指し、「手背部」という用語は手の後部分の対応する領域を指す。「親指」という用語は第１指を指し、「人差し指」という用語は親指に最も近い第２指を指し、「中指」という用語は第３指を指し、「環指」という用語は第４指を指し、「小指」という用語は第５指を指す。「第１の指関節」という用語は指の基部の大きな指関節を指し、「第３の指関節」という用語は指先に最も近い小さな指関節を指し、「第２の指関節」という用語は第１の指関節と第３の指関節との間の小さな指関節を指す。
【００３０】
本明細書において、「近位」という用語は手首に向かう方向を指し、「遠位」という用語は手首から離れて指先に向かう方向を指し、「掌側」という用語は掌および指の把持側を指し、「背側」という用語は掌側とは反対の手および指の位置を指す。
【００３１】
本明細書において、「トレーニング手袋」という用語は、掌または手背部の少なくとも一部分を被覆する材料またはメッシュの任意の組み合わせを指し、これは、手指のうちのいくつかの所望の配向への固定および維持を促進する。「指整列ガイド」という用語は、指の第１、第２、および第３の指関節の所望の配向のための基準を提供する、成形された要素または成形可能な要素を指す。「屈曲指整列ガイド」という用語は、小指または環指の第１、第２、および第３の指関節の所望の屈曲配向のための基準を提供する、成形された要素または成形可能な要素を指す。「指整列トレーニングデバイス」という用語は、小指または環指の少なくとも第１、第２、および第３の指関節の所望の屈曲配向のための基準を提供する、手袋、形態、または要素の任意の組み合わせを指す。
【００３２】
本明細書において、「指先整列」または「線に沿った」という用語は、小指先、環指先、および中指先の略直線的な整列を指す。「スリーブ」という用語は、指にフィットする手袋の閉じたまたは開いた指先部分を指す。「指挿入部」という用語は、指スリーブに設けられるか、またはスリーブ内に設けられるポケットに挿入され得る、屈曲可能な指整列ガイドを指す。
【００３３】
図１は、開いた右手８０の上面図であり、手首８２、人差し指８４、中指８５、環指８６、小指８７、および親指８３がある。
【００３４】
Ａｌｅｘａｎｄｒｉａ  Ｐｒｏｆｅｓｓｉｏｎａｌ（登録商標）シュガーリング技術
シュガーリング処置により、抜き取りに対する毛の抵抗は急速に減少する。Ａｌｅｘａｎｄｒｉａ  Ｐｒｏｆｅｓｓｉｏｎａｌ（登録商標）シュガーリング技術によって、糖ペーストは毛嚢内に浸透し、その後毛の自然な成長方向への「フリック」動作によって除去される。この動作は実際に、早期成長段階にある毛を抜き取りながら同時に毛嚢から汚物も除去し、皮膚を穏やかに剥離する。毛が一般に、１／１６インチ（１ｍｍ未満）の長さであるときの早期成長段階にある毛の抜き取りは一般に、減少につながるより急速な改善を促進する。
【００３５】
シュガーリングは、毛の成長を改善し、減少させるための優れた方法であり、各処置について同時発生的な利益が生じる。糖ペーストが皮膚上で成形されると、それは毛嚢内に自然に浸透し、それが接触する毛嚢の内側にある全てのもの（毛根、毛嚢内に埋め込まれ得る皮膚の表面の汚物蓄積物、および毛母細胞を保有する内毛根鞘を含む）に付着し、それらを掴む。
【００３６】
急速な「フリック」動作が実行されると、皮膚上に成形された糖ペーストに連結する毛嚢内の糖ペーストが全て同時に除去され、糖ペーストと共にその内外に連結する全てのものを取り去る。糖ペーストが毛嚢内で潤滑剤としての役割を果たし、これにより、より穏やかな抜き取りが可能となり、毛の自然な成長方向への毛の抜き取りが可能となるため、この動作は非常に穏やかである。
【００３７】
面皰（黒色面皰または締まった毛穴）もまた、Ａｌｅｘａｎｄｒｉａ  Ｐｒｏｆｅｓｓｉｏｎａｌシュガーリング技術によって穏やかかつ安全に処置することができる。
【００３８】
６ステップのシュガーリング技術
以下の説明は、独立型様式で使用することができるが、全体的な皮膚コンディショニングプログラムの一環として改良された結果を有する、改善されたシュガーリング技術のものである。この説明は、スキンケア専門家にサロンにおけるこの技術の使用方法を教育している教官を対象とする。この技術はまた、家庭で使用することもできる。図２は、６ステップの改善されたシュガーリング技術の要約である。
【００３９】
開始前−手の位置の確認
マッサージテーブルを挟んで各生徒の向かいに立ち、教官は、一度に一人の生徒と握手をし、手をテーブルへと降下させることによって握手を解放するよう求める。教官は、彼らの手がテーブルに到達するときのその載せ方について観察し、彼らの手がテーブルに到達するときにそれが正しい握手位置になるまでこの動作を反復する。生徒は、適切な手の位置を真似ることができるように、教官の手がテーブルに到達するのを観察する。これは、処置を開始するための正しい手の位置、および糖を皮膚から「フリック」（除去）するための正しい手の位置を確立するためのものである。
【００４０】
ステップ１００  手を皮膚へ（「握手位置」）
図３Ａは、図２の流れ図のステップ１００の「握手位置」にある手８０および手首８２の正面図の例示である。図３Ｂは、指および手首の整列、ならびに図３Ａの指の分離を示す側面図であり、中指８５、環指８６、および小指８７は等しい圧力を印加している。図３〜８は、糖ペーストなしの手の位置を示す。図９〜１７は、脚９０の一部分に塗布される糖ペースト９２と共に、手の位置を示す。
【００４１】
図３Ａにおいて、人差し指８４および親指８３は、圧力を印加していない。図９〜１７において、人差し指および親指を使用して、糖ペーストの包み込みを助ける。
【００４２】
ステップ１００では、技師は、顧客に糖ペーストを載せる。糖ペーストは、技師のシュガーリングの手によって顧客の皮膚に載せられる。糖ペーストは、技師の手掌ではなく顧客の皮膚に載せられる。糖ペーストは、技師の指の内側に制限され、技師の指の後方には存在しない。図５に示されるように、中指、環指、および小指が握手配向で整列している状態で、手は、垂直からわずかに回転する。技師の指８５、８６、および８７の制御された適度の圧力が、顧客の皮膚上で維持される。この例において、人差し指８４は、皮膚に圧力を印加するためには使用されない。他の実施例において、人差し指を使用して、中指８５、環指８６、および小指８７と等しい圧力を印加する。技師のシュガーリングの手の親指８３を使用して、糖ペーストを顧客の皮膚上に転がすことで、糖ペーストが技師の掌８１に移動しないようにする。
【００４３】
図９は、図２の流れ図のステップ１００の「握手位置」にある手８０および手首の正面図を、糖ペースト９２と共に例示したものである。
【００４４】
このステップが正しく実行された場合、糖ペーストの毛嚢への良好な透過および浸透が存在し、技師は、ペーストの効果的かつ快適な塗布を行う準備ができる。トレーニング手袋は、シュガーリングプロセスにおいて適切な手および指の配向を固定および維持するように生徒を教育する上で有用である。
【００４５】
ステップ２００  糖ペーストの導入（「成形／マッサージ」）
図４は、図２の流れ図のステップ２００の糖ペースト「成形」のための指および手首の整列を示す正面図である。
【００４６】
図１０は、図２の流れ図のステップ２００の糖ペースト「成形」の指および手首の整列ならびに糖ペースト９２を示す正面図である。この例において、技師の第２の手８９は、脚の皮膚をぴんと張るために使用される。
【００４７】
ステップ２００では、技師が手首を制御して糖を前進させる必要があることを除いて、技師はステップ１と同様の手の位置を維持する。シュガーリングの手の親指８３を使用して、糖ペースト９２を掌から離して皮膚上に置いて、技師が糖ペーストを塗布しながら糖ペーストを皮膚上に転がしていく。シュガーリングに使用される全ての指先で均等な圧力が維持され、均等な圧力は、手首の確かな制御の維持を助ける。均等な圧力および手首の制御は、ペーストの均等な塗布を促進する。技師は、指を互いに対して平行線の状態で維持しながら、より滑らかで同等な塗布のために塗布の手の指を広げるべきである。指が互いに密接に維持されすぎる場合、これは、塗布、（特に脚および腕の）処置完了に要する時間、ならびに塗布の快適さに影響を与えるだろう。
【００４８】
ステップ３００  手首の降下（「弛緩／圧力なし」）
図５は、図２の流れ図のステップ３００の「弛緩」手首降下の指および手首の整列を示す正面図である。
【００４９】
図１１は、図２の流れ図のステップ３００の「弛緩」手首降下の指および手首の整列ならびに糖ペーストを示す正面図である。ステップ３００では、技師は、即時に塗布および糖ペーストの成形を停止し、ステップ４００またはステップ５００および６００の準備をする。以下に記載されるように、ステップ１００〜４００は典型的に、ステップ５００および６００の実行前に一度または二度反復される。このステップが正しく実行されなかった場合、顧客は、離脱中に不快感もしくは痛みを経験する可能性があるか、または不快感もしくは痛みおよび「フリック」時の毛の破断を経験する可能性がある。
【００５０】
ステップ４００  糖ペーストからの離脱（「航空機」）
図６は、図２の流れ図のステップ４００の「航空機」離脱の指および手首の整列を示す正面図である。
【００５１】
図１２は、図２の流れ図のステップ４００の「航空機」離脱の指および手首の整列ならびに糖ペーストを示す正面図である。
【００５２】
ステップ４００では、技師は、「航空機離陸」動作（垂直の「ヘリコプター」動作ではない）を実行することによって、皮膚を持ち上げることなく糖ペーストから手を離す。その後、技師は、適切に配置されて、ステップ１００および２００を反復する。このステップが正しく実行されなかった場合、技師は、顧客の皮膚を持ち上げてしまうか、または顧客の毛を引っ張ってしまい、離脱中に痛みを引き起こす可能性がある。航空機離陸の類似性は、技師が急激に糖ペーストから離れることなく、皮膚に対して鋭角で塗布の手による離脱を実行するためのリマインダーを提供する。
【００５３】
ステップ１００〜４００の反復
一般に、糖ペーストをフリックする前に、皮膚の領域にわたって、一度または二度「成形」プロセスを反復することが望ましい。この反復した成形は、糖を毛嚢に入れ込んで、より良好な脱毛を助ける。図１４〜１６は、ステップ１００〜２００の反復を例示する。図１４は、図１３の「キックオフ」後の握手位置への戻りを示す正面図である。図１５は、「キックオフ」後の成形および図１４の握手位置への戻りを示す正面図である。
【００５４】
ステップ５００  ペースト糖ペーストの転がし（「フリック準備」）
図７Ａは、図２の流れ図のステップ５００の「転がし」の指および手首の整列を示す正面図である。図７Ｂは、図２の流れ図のステップ５００の「フリック準備」の指および手首の整列を示す正面図である。図１６は、図１４の「成形」ステップ後の「転がし」、および「フリック準備」のための握手位置への戻りを示す正面図である。
【００５５】
糖ペーストは、このステップ中には除去されない。ステップ５００は、ステップ６００の準備をするために正しく実行されるべきである。ステップ５００を実行する目的は、技師がステップ３００に到達した後、彼らがステップ２００の圧力を停止することを可能にするため、およびその接触圧力を５０％だけ低減し、塗布した糖の転がしを塗布した糖ペーストの終わりまで継続しながら、塗布した糖を皮膚に「転がし通す」ためである。技師は、塗布の手の全ての指への等しい圧力の印加を継続する。技師は、糖ペースト塗布の終わりに連結することによって、「キックオフ」（ステップ６００）の準備をする。これは、テープの最端部を掴んでそれを除去することによって、テープの一片を除去することと同様である。
【００５６】
ステップ６００  キックオフ（「フリック」）
図８は、図２の流れ図のステップ６００の「キックオフ」の指および手首の整列を示す正面図である。図１７は、図１６の「フリック準備」の後の「キックオフ」を示す正面図である。
【００５７】
ステップ６００では、技師は、依然として塗布したペーストを過ぎて皮膚上を移動しながら、「キック指令」のための快適で弛緩した手首および塗布位置を維持する。技師に塗布の手の掌が見えるとき、技師はステップ６００を実行するべきではないが、よりステップ３００と同じ弛緩した位置への手の再配置を試みるべきである。これに失敗した場合、技師は、ステップ１００からやり直すべきである。
【００５８】
好ましい技術において、技師の指は、各指によって印加される低減した等しい圧力によって平行位置のままである。キックバック手技は、塗布の手を糖ペーストから持ち上げることなく実行される。教官は、好ましくは、「キック」という単語を強調するための可聴または非可聴指令、および皮膚上の穏やかな移動を継続しながら「握手」という単語を強調するための指令、および「オフ」という単語の最終指令を発する。「オフ」の音声指令を実行するときには、技師の肩にはほとんど労力がない状態で、堅固な手首動作が使用される。「オフ」の指令は、何の躊躇もなく「握手」の指令の直後に続くべきである。このステップが正しく実行されなかった場合、顧客は、皮膚の持ち上げまたは毛の破断によって不快感または痛みを経験する可能性がある。技師は、「キック」時およびステップ３００の手の配置時には、糖および皮膚に連結されたままであるべきである。
【００５９】
「素早い戻し」動作（「シュガーリングの技術」）を使用した第２および連続キックオフ
技師は、キックオフされた（フリックされた）糖ペーストをすぐに素早く戻して、それを顧客の皮膚上に蓄積させて、顧客の皮膚上の糖ペーストの移動を予防し、専門的シュガーリング処置を実行しながら各成形ストリップを効果的にシュガーリングするべきである。素早い戻しは、糖ペーストが皮膚から繰り返し「フリック」されるにときに、技師がそれを制御すること、およびそれが技師の手から処置テーブル、床、または壁へと飛び跳ねるのを予防することを可能にする。素早い戻しは、完全なシュガーリングのための６ステップの進行中の技術の複雑な部分である。「フリックした糖」を蓄積させたい正確な場所を決定することによって、技師はステップ６００を実行し、「フリックした糖ペースト」に連結した彼女のシュガーリングの手を皮膚上の正確な所定の場所へと即時に戻すことができる。これにより、彼女は糖ペーストを小さな「山」へと蓄積し／集め、糖ペーストの山の後ろでステップ１００を実行してそれを回収し、それが完全に皮膚を離れるまでそのストリップのシュガーリングを継続することが可能となる。
【００６０】
図１８は、図１７の「キックオフ」後の「素早い戻し」の例示である。この図において、糖ペーストの部分９７は、脚の領域９５からまさに今フリックされたところであり、技師は、その部分９７を領域９６へと「素早い戻し」て、領域９６の「フリック」を反復する準備をしている。
ステップ６００を実行した後にシュガーリングの手をどこに戻すかを事前決定することは、技師が塗布した糖ペーストの前方または後方への「皮膚上の移動」を予防することを助けるだろう。これは、技師がある領域を過度に処置すること、皮膚に粘着することを予防し、彼らが効率を損なうことなくより迅速に処置を行うのを助けるだろう。
【００６１】
各「キックオフ」後、技師は、ステップ１００に従って塗布の手を即時に配置し、ステップ３００へと即時に移動するべきである。技師が一連のキックオフステップを実行する準備ができている場合、ステップ２００は排除されるべきである。皮膚に残っているある距離の糖ペーストが存在する場合、ステップ５００（およびその後のステップ６００）が実行され、糖ペースト距離が最小（最大で１〜２インチなど）である場合、ステップ３００の後にステップ６００が実行される。
【００６２】
これらのステップが正しく実行されなかった場合、顧客は、皮膚の持ち上げまたは毛の破断による不快感または痛みを経験する可能性がある。
【００６３】
ステップ２００を過度に実行すると、糖ペーストを酷使することとなり、それが皮膚に溶け込みすぎて技師が動けなくなってしまう可能性がある。技師は、皮膚へと溶け込んだ糖ペーストの「キックオフ」を試みる中でいくらかの焦燥を引き起こし得る。これもまた、苛立ちから技師を熱くしすぎる。この溶け込みが生じた場合、技師は単純にリラックスし、ステップ４００を使用して塗布の手を糖ペーストから穏やかに除去し、別の領域のシュガーリングを継続するべきである。溶け込んだ糖ペーストを数分間放置すれば、それは冷却され、除去が容易になるだろう。
【００６４】
実施例−顧客の腕での一連のシュガーリングステップ
技師は、塗布の手によって、腕の第１の上部にステップ１００〜６００を実行する。
【００６５】
上腕のストリップに糖ペーストを塗布し、最初のキックオフをした後、技師は、上腕のわずかに下の皮膚の第２の部分でステップ１００の位置に手を配置し、回収されるペーストのすぐ後ろに手を載せることによってキックオフされた糖ペーストを回収し、ステップ３００、ステップ５００、およびその後ステップ６００を実行する。これらのステップは、塗布した糖ペーストのストリップが皮膚から完全に除去されるまで反復される。（ステップ２００は、いくつかの連続したキックオフ順序について排除され、ステップ５００は、顧客の皮膚に２インチ未満の距離のペーストが残る場合に排除される。）
【００６６】
最初に塗布したストリップの糖ペーストが除去され、塗布した糖ペーストの下の全ての毛が抜き取られた後、技師は、皮膚の上腕部分の別の区分でステップ１００の位置に手を配置し、ステップ３００、４００、５００、およびステップ６００を実行する。（ステップ２００は、いくつかの連続したキックオフ順序について排除され、ステップ５００は、顧客の皮膚に２インチ未満の距離のペーストが残る場合に排除される。）
【００６７】
これらのステップは、上腕の各区分が完了し、全ての毛が抜き取られるまで反復される。
【００６８】
上腕が完了した後、技師は、下腕の底部の皮膚の部分でステップ１００の位置に手を配置し、ステップ３００、４００、５００、およびステップ６００を実行する。その後、上腕と同じステップ適用のプロトコルに従う。下腕の底部が完了し、全ての毛が抜き取られると、技師は、上部前腕に移動する。腕のこの部分の毛は、横向きに成長している。技師は、ステップ１００に手を配置し、前腕の外側から前腕の内側へと、それぞれステップ２００、３００、４００、５００、およびステップ６００を実行することによって、自然な成長方向に従う。
【００６９】
上部前腕の下方に塗布した第１のストリップの最終キックオフの後、技師は、上腕の皮膚の新たな部分でステップ１００の位置に手を配置し、ステップ１００〜６００を実行する。
【００７０】
技師は、６ステップを使用して処置を開始する前に、毛の成長方向を点検するべきである。Ｋｅｎｎｅｄｙ  Ｔｈｅｏｒｙ（登録商標）は、毛の自然な成長方向に毛の抜き取りを実行し、これは、糖ペーストのより良好な透過およびステップ６００のより一層穏やかな実行のために、ステップ１００および２００が自然な方向とは反対方向に実行されることを必要とする。
【００７１】
各ステップの実行には不思議な技法があり、各ステップは完全な技術の実行のために他のステップに依存する。
【００７２】
要約
いくつかの忍耐をもって、技師は、Ａｌｅｘａｎｄｒｉａ  Ｐｒｏｆｅｓｓｉｏｎａｌ（登録商標）身体シュガーリング脱毛および皮膚コンディショニング処置の不思議な技法の経験を獲得し、熟達することができる。
【００７３】
ステップ１００は、技師に糖ペーストの完全な制御を提供し、皮膚上の彼女の配置および正しい圧力を確立する。ステップ２００は、技師が顧客に対して痛みまたは不快感を引き起こすことなく糖ペーストを成形／塗布し、糖ペーストを毛嚢内に浸透させることを可能にする。ステップ３００は、技師が糖および皮膚からの手の離脱、または顧客に対して痛みまたは不快感を引き起こすことのない糖ペーストの除去を準備することを可能にする。ステップ４００は、技師が痛みまたは不快感を引き起こすことなく連続するステップ２００成形プロセスに戻ることを可能にする。ステップ５００は、技師が痛みまたは不快感を引き起こすことなく糖ペーストの除去の準備をすることを可能にする。
【００７４】
ステップ６００は、技師が痛みまたは不快感を引き起こすことなく糖ペーストを効果的に除去し、毛を抜き取り、「素早い戻し」を実行することを可能にする。各「キックオフ」後、技師は、ステップ１００に従って塗布の手を即時に配置し、ステップ３００へと即時に移動するべきである。
【００７５】
変更形態
キックオフの準備をする用意ができている場合、もはやステップ２００を実行する必要はない。ステップ６００を実行する度にステップ２００を続けると、糖ペーストおよび皮膚を酷使し、糖が皮膚に融解し過ぎてしまうだろう。
【００７６】
ステップ４００の目的は、成形ステップ２００に戻ってそれを反復するときに不快感を引き起こすことなく、皮膚上の糖ペーストから正しく離脱することである。
【００７７】
キックオフの準備において「転がし通す」のに皮膚上に十分な糖ペーストが成形されているときにのみ、ステップ５００を使用する必要がある。一番最後のキックオフ時など、糖ペーストが少ししか存在しない場合、ステップ５００は使用せず、ステップ１００、３００、および６００を実行する。
【００７８】
手および指位置
図１９は、シュガーリング組成物を塗布するために第１の配向で保持された右手８０の右側斜視図である。この場合、右手８０は、手首８２と整列して保持されている。図１９は、指先が整列し、互いに密接な状態にある中指、環指、および小指を示す。図２０に示されるものなどの様々なステップにおいて、技師は、小指および環指の屈曲を維持しながら指先を分離することができる。
【００７９】
人差し指８４および中指８５は、手から外向きに延在し、中指の先端部８５２の右部分８５４は、表面５０上に軽く載っている。この例において、人差し指８４および中指８５は、真っ直ぐであり、約２０〜３０度の角度で掌に向かって角度付けされており、これにより、中指の先端部８５２は表面５０上に快適に載っている。
【００８０】
環指８６および小指８７は各々、第１の指関節、第２の指関節、および第３の指関節で屈曲しており、これにより、小指の先端部８７２の右部分８７４、環指の先端部８６２の右部分８６４、および中指の先端部８７２の右部分８７４は整列され、表面上に快適に載っている。
【００８１】
屈曲した小指、屈曲した環指、および角度付けされた中指の先端部のこの整列は、組成物を最初に塗布するために表面に沿って手を後ろ方向に引くにつれて、糖ペースト組成物を包み込むためのダムを作り出す。トレーニング手袋または形態などの指整列トレーニングデバイスは、技師がこの所望の指配向を学習し、実践するのを補助する。
【００８２】
この配向において、手８０４の右側基部の遠位部分は、表面と接触して維持される。この接触は、糖組成物を更に包み込む。シュガーリング塗布において、表面５０は、脚、腕、または胴体などのヒトの身体の一部分であるだろう。
【００８３】
図２０は、シュガーリング組成物を塗布するために第２の配向に保持された右手８０の後部左側斜視図である。この場合、指および親指は、小指、環指、および中指の右側先端部が表面と接触した状態で、図１９に記載される配向に維持される。手の右側基部の遠位部分は、約１／２インチだけ表面上に上昇する。
【００８４】
手の右側基部が表面の上に上昇するとき、小指の先端部と環指の先端部との間に第１の分離８７６が作り出され、環指の先端部と中指の先端部との間に第２の分離８６６が作り出される。
【００８５】
屈曲した小指、屈曲した環指、および角度付けされた中指の先端部のこの整列は、組成物を最初に塗布するために表面に沿って手を後ろ方向に引くにつれて、糖ペースト組成物の拡散を促進する。
【００８６】
図２１は、シュガーリング組成物を塗布するための配向に保持された右手８０の上部斜視図である。
【００８７】
所望の指位置を確立し、維持することは、適切なシュガーリング技術にとって重要である。適切な指位置を維持することができないと、不快感を引き起こし得、プロセスの効率を低減し得る。これらの指位置を教育し、学習することは困難である。学習プロセスを改善するための１つの方法は、技師による適切な指位置の学習および維持を補助するための手袋または他のトレーニングデバイスを提供することである。指整列トレーニングデバイスは、好ましくは、技師が指の所望の曲線および整列を維持しながら、指先間の間隔を調整することを可能にする。
【００８８】
実施例−背側指挿入部を有するトレーニング手袋
図２２Ａは、手袋８１２の後ろ側を示すトレーニング手袋８００の実施形態の上面図である。図２２Ｂは、図２２Ａのトレーニング手袋の実施形態の掌側８１０の図である。
【００８９】
この例において、親指および人差し指は手袋によって拘束されない。親指は開口部８２０を通して挿入され、人差し指は開口部８８６を通して曝露される。拘束されないままであることで、親指および人差し指の位置は、掌上への糖ペーストの蓄積を予防する配向に移動するなど、容易に変更することができる。
【００９０】
手袋は、小指スリーブ８８７、環指スリーブ８８６、および中指スリーブ８８５を含む。いくつかの例において、これらの指部分は完全に封入される。他の例において、指先は、スリーブの上部に開口部を設けることによって曝露される。
【００９１】
この例において、手袋の後ろ側または背側は、中指整列ガイドを挿入するためのポケット８２５、環指整列ガイドを挿入するためのポケット８２６、および小指整列ガイドを挿入するためのポケット８２７を含む。これらの整列ガイドは、中指、環指、および小指を図２０に示される所望の屈曲に維持する。
【００９２】
この例において、中指整列ガイド、環指整列ガイド、および小指整列ガイドは、それぞれのポケット内に挿入され、研修生は糖を塗布する手に手袋を嵌める。トレーニング手袋の上にシュガーリング手袋を着用してもよい。教官は、研修生が中指、環指、および小指を握手位置へと屈曲するのを補助することで、顧客の皮膚上に手が配置されたとき、指先が皮膚に穏やかな圧力を印加する場所で、中指先、環指先、および小指先が略一直線上に整列するようにする。この例において、整列ガイドは指が屈曲するときに屈曲することで、ガイドは環指および小指の第１、第２、および第３の指関節で所望の屈曲を維持し得る。中指は、典型的には、ほぼ真っ直ぐであり、環指および中指よりも実質的に屈曲が少ない。
【００９３】
他の実施例において、中指整列ガイド、環指整列ガイド、および小指整列ガイドは、研修生が手袋を嵌める前に屈曲していてもよい。
【００９４】
実施例−掌側指挿入部を有するトレーニング手袋
他の実施例において、中指整列ガイド、環指整列ガイド、および小指整列ガイドは、指の掌側のポケット内に挿入されてもよい。
【００９５】
実施例−掌側および背側指挿入部の両方を有する手袋
図２５〜２９は、掌側および背側指整列ガイドの両方を有するトレーニング手袋を示す。図２５は、下部開口部９３７を有する小指ポケット９２７、下部開口部９３６を有する環指ポケット９２６、および下部開口部９３５を有する中指ポケット９２５を示す、トレーニング手袋９００の背面図である。屈曲していない中指整列ガイド９４５を、中指スロットの上部に示す。この例において、指整列ガイドは、それぞれのスリーブへの挿入後に所望の形状に屈曲することができる柔軟な金属またはプラスチックとして提供される。
【００９６】
図２６は、スタンド上のトレーニング手袋９００の背面図であり、開いた人差し指部分９８８、開いた親指部分９８９、ポケット９２７を有する小指スリーブ９８７、ポケット９２６を有する環指スリーブ９８６、およびポケット９２５を有する中指スリーブ９８５を示す。この例において、手袋は、ゴルフ用手袋のように伸縮性があり快適かつ軽量であり、滑らかな表面で作製された後ろ部分および表側のメッシュ部分を有する。他の実施例において、他の材料が使用されてもよい。
【００９７】
図２７は、スタンド上のトレーニング手袋９００の側面図であり、小指部分９８７、環指部分９８６、および中指部分９８５の屈曲した指位置を示す。この例において、技師が手袋を嵌める前に、屈曲していない中指整列ガイド９４５は中指スリーブ９２５に挿入され、屈曲していない環指整列ガイド９４６は環指スリーブ９２６に挿入され、屈曲していない小指整列ガイド９４７は小指スリーブに挿入され、屈曲していない中指整列ガイド８４５は中指スリーブ９２５に挿入される。手袋を嵌めると、整列ガイドが所望の配向に屈曲する。
【００９８】
他の例において、整列ガイドは、手袋を嵌める前に屈曲している。
【００９９】
図２８は、それぞれ小指、環指、および中指用の背側ポケット９２７、９２６、および９２５を示す、手袋９００の後ろ９４０の縫い目を示す背面図である。
図２９は、それぞれ小指、環指、および中指用の掌側ポケット９５７、９５６、および９５５を示す、手袋９００の正面図である。指および手の配置のわずかな変更が、シュガーリングの快適さおよび効率に対して明白な効果を有し得、試験は、掌側整列ガイドと背側整列ガイドとの組み合わせが、単一の背側または掌側指整列ガイドよりも所望の指配向の保持に効果的であることを示している。
【０１００】
この例において、指整列ガイドは、環指および小指だけでなく中指についても提供される。中指は、好ましくは、略真っ直ぐに維持されるものの、技師が正しい整列を維持することができるように、指整列ガイドを提供することが有益である。
他の例において、トレーニングデバイスは、環指および小指の指整列ガイドのみを含んでもよい。
【０１０１】
この例において、切り抜き部または開口部は、親指および人差し指について設けられる。他の例において、トレーニング手袋は、人差し指、親指、またはそれらの両方用のスリーブを含んでもよい。長い指爪の収容などのために、スリーブの上部に指先穴が設けられてもよい。
【０１０２】
実施例−着脱可能な整列ガイドを有する手袋
上記の実施例において、指整列ガイドは、指スリーブ内に設けられるポケット内に設けられる。他の実施例において、指整列トレーニングデバイスは、着脱可能な指整列ガイドを有する手袋であり、ガイドは、面ファスナー、両面テープ、スナップフィット、または他の手段により取り外し可能かつ指スリーブに取り付け可能である。
【０１０３】
実施例−貼り付けられた整列ガイドを有する手袋
別の例において、指整列トレーニングデバイスは、指整列ガイドが手袋に貼り付けられている手袋である。
【０１０４】
実施例−複数指形態
他の例において、指整列ガイドは手袋ではなく、単一形態（一体型；single form）の一部または型板（template）である。単一形態または型板は、所望の屈曲へと実行され、指の背側または掌側に配置され、弾性ストラップまたは他の手段によって定位置に保持され得る。他の実施例において、柔軟な形態が提供され、指が屈曲するにつれて所望の形状に屈曲される。
【０１０５】
実施例−二重複数指形態
他の実施例において、指整列トレーニングデバイスは、指整列ガイドが、掌側部分と遠位部分との間に少なくとも環指および小指を挟む形態の一部である、１つ以上の形態として提供される。一例において、柔軟な形態が提供され、指が屈曲するにつれて所望の形状に屈曲される。別の例において、掌部分および遠位部分は事前成形され、指に配置された後に共に固定される。
【０１０６】
他の実施例において、３本全ての指（中指、環指、および小指）を配置するための単一挿入形態が提供される。
【０１０７】
単一指挿入部または複数指形態の１つの利点は、二重関節の技師が適切な指配置を確立するのを助ける能力である。この例において、小指および環指の所望の位置は、環指および小指を第１および第２の指関節で屈曲することを必要とし、二重関節の人は、両方の指関節での所望の屈曲の維持に困難を有する。ガイドは、所望の屈曲指位置を保持するのを助ける。
【０１０８】
所望の指の屈曲の確立に加えて、個々の指挿入部または単一挿入形態は、中指、環指、および小指の外側先端部が適切に整列されるように指を配置する。この整列は、シュガーリング塗布において、皮膚に適切な圧力を適用するのを助ける。
【０１０９】
図２３は、完全なシュガーリングのための６ステップを要約する。図２４は、完全なシュガーリングのための６ステップを例示する。一例において、指挿入部を有する手袋を使用して、６ステップ全体を通して中指、環指、および小指の所望の指位置を確立し、維持する。
【０１１０】
手袋は、技師が適切な指配置の習慣を確立するまで、初期トレーニング期間に使用してもよい。手袋はまた、適切なシュガーリング技術を確認するために、初期トレーニング後日常的に、または定期的に使用してもよい。
【０１１１】
本発明の例示的な実施形態を説明してきたが、それらに対して修正および変更が可能であることは明らかであり、それらは全て、本発明の真の趣旨および範囲内にある。上記の説明および図面は、本発明から逸脱することなくなされ得る修正を例示するものであり、その範囲は、以下の特許請求の範囲によってのみ限定されるものとする。したがって、前述のものは、本発明の原理を例示するに過ぎないものとみなされる。更に、多数の修正および変更が当業者には容易に想起されるため、本発明を、示され説明される正確な構築物および動作に限定することは所望されず、したがって、全ての適切な修正および等価物が、主張される本発明の範囲内にあることが意図される。
【図１】
2021517211.tif 000003
【図２】
2021517211.tif 000004
【図３Ａ】
2021517211.tif 000005
【図３Ｂ】
2021517211.tif 000006
【図４】
2021517211.tif 000007
【図５】
2021517211.tif 000008
【図６】
2021517211.tif 000009
【図７Ａ】
2021517211.tif 000010
【図７Ｂ】
2021517211.tif 000011
【図８】
2021517211.tif 000012
【図９】
2021517211.tif 000013
【図１０】
2021517211.tif 000014
【図１１】
2021517211.tif 000015
【図１２】
2021517211.tif 000016
【図１３】
2021517211.tif 000017
【図１４】
2021517211.tif 000018
【図１５】
2021517211.tif 000019
【図１６】
2021517211.tif 000020
【図１７】
2021517211.tif 000021
【図１８】
2021517211.tif 000022
【図１９】
2021517211.tif 000023
【図２０】
2021517211.tif 000024
【図２１】
2021517211.tif 000025
【図２２Ａ】
2021517211.tif 000026
【図２２Ｂ】
2021517211.tif 000027
【図２３】
2021517211.tif 000028
【図２４】
2021517211.tif 000029
【図２５】
2021517211.tif 000030
【図２６】
2021517211.tif 000031
【図２７】
2021517211.tif 000032
【図２８】
2021517211.tif 000033
【図２９】
2021517211.tif 000034
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
美容シュガーリング脱毛手順を実行する間の、小指および小指先、環指および環指先、ならびに中指および中指先の適切な指の配置を教育するための指整列トレーニングデバイスであって、前記トレーニング手袋が、
第１の指関節、第２の指関節、および第３の指関節での小指の屈曲を形成する第１の屈曲小指整列ガイドを含む小指部分と、
第１の指関節、第２の指関節、および第３の指関節での環指の屈曲を形成する第１の屈曲環指整列ガイドを含む環指部分と、
第１の中指整列ガイドを含む中指部分と、を備え、
これにより、前記小指先、環指先、および中指先が離隔配置されるとき、前記屈曲小指整列ガイド、前記屈曲環指整列ガイド、および前記中指整列ガイドが、前記小指先、前記環指先、および前記中指先を線に沿って配置するように構成される、指整列トレーニングデバイス。
【請求項２】
前記トレーニングデバイスが、トレーニング手袋である、請求項１に記載の指整列トレーニングデバイス。
【請求項３】
前記屈曲小指整列ガイド、前記屈曲環指整列ガイド、および前記中指整列ガイドが、別々の手袋の指挿入部である、請求項２に記載の指整列トレーニング手袋。
【請求項４】
第１の小指ポケットであって、前記第１の屈曲小指整列ガイドが、前記小指ポケットに挿入されるような、第１の小指ポケットを含む小指スリーブと、
第１の環指ポケットであって、前記第１の屈曲環指整列ガイドが、前記小指ポケットに挿入されるような、第１の環指ポケットを含む環指スリーブと、
第１の中指ポケットであって、前記第１の中指整列ガイドが、前記中指ポケットに挿入されるような、第１の中指ポケットを含む中指スリーブと、を更に備える、請求項３に記載のトレーニング手袋。
【請求項５】
前記第１の小指ポケット、前記第１の環指ポケット、および前記第１の中指ポケットが各々、前記トレーニング手袋の前記小指スリーブ、前記環指スリーブ、および前記中指スリーブの背側部分にそれぞれ設けられる、請求項４に記載のトレーニング手袋。
【請求項６】
前記第１の小指ポケット、前記第１の環指ポケット、および前記第１の中指ポケットが各々、前記トレーニング手袋の前記小指スリーブ、前記環指スリーブ、および前記中指スリーブの掌側部分にそれぞれ設けられる、請求項４に記載のトレーニング手袋。
【請求項７】
前記第１の屈曲小指整列ガイド、前記第１の屈曲環指整列ガイド、および前記中指整列ガイドが各々、前記トレーニング手袋の前記小指スリーブ、前記環指スリーブ、および前記中指スリーブの前記背側にそれぞれ設けられるポケットに挿入され、
第２の屈曲小指整列ガイドおよび第２の屈曲環指整列ガイドが各々、前記トレーニング手袋の前記小指部分および前記環指部分の前記掌側にそれぞれ設けられるポケットに挿入される、請求項４に記載のトレーニング手袋。
【請求項８】
小指スリーブであって、前記第１の屈曲小指整列ガイドが、前記小指スリーブの前記背側に取り外し可能に取り付けられる、小指スリーブと、
環指スリーブであって、前記第１の屈曲環指整列ガイドが、前記環指スリーブの前記背側に取り外し可能に取り付けられる、環指スリーブと、
中指スリーブであって、前記第１の中指整列ガイドが、前記中指スリーブの前記背側に取り外し可能に取り付けられる、中指スリーブと、を更に備える、請求項２に記載のトレーニング手袋。
【請求項９】
小指スリーブであって、前記第１の屈曲小指整列ガイドが、前記小指スリーブの前記掌側に取り外し可能に取り付けられる、小指スリーブと、
環指スリーブであって、前記第１の屈曲環指整列ガイドが、前記環指スリーブの前記掌側に取り外し可能に取り付けられる、環指スリーブと、
中指スリーブであって、前記第１の中指整列ガイドが、前記中指スリーブの前記掌側に取り外し可能に取り付けられる、中指スリーブと、を更に備える、請求項２に記載のトレーニング手袋。
【請求項１０】
小指スリーブであって、
前記第１の屈曲小指整列ガイドが、前記小指スリーブの前記背側に取り外し可能に取り付けられ、
第２の屈曲小指整列ガイドが、前記小指スリーブの前記掌側に取り外し可能に取り付けられる、小指スリーブと、
環指スリーブであって、
前記第１の屈曲環指整列ガイドが、前記環指スリーブの前記背側に取り外し可能に取り付けられ、
第２の屈曲小指整列ガイドが、前記小指スリーブの前記掌側に取り外し可能に取り付けられる、環指スリーブと、を更に備える、請求項２に記載のトレーニング手袋。
【請求項１１】
小指スリーブであって、前記第１の屈曲小指整列ガイドが、前記小指スリーブに貼り付けられる、小指スリーブと、
環指スリーブであって、前記第１の屈曲環指整列ガイドが、前記環指スリーブに貼り付けられる、環指スリーブと、
中指スリーブであって、前記第１の中指整列ガイドが、前記中指スリーブに貼り付けられる、中指スリーブと、を更に備える、請求項２に記載のトレーニング手袋。
【請求項１２】
前記第１の屈曲小指整列ガイド、前記第１の屈曲環指整列ガイド、および前記第１の中指整列ガイドが、第１の形態として設けられる、請求項１に記載のトレーニングデバイス。
【請求項１３】
前記第１の形態が、前記小指、環指、または中指のうちの少なくとも１つの前記背側に取り付けられる、請求項１２に記載のトレーニングデバイス。
【請求項１４】
前記第１の形態が、前記小指、環指、または中指のうちの少なくとも１つの前記掌側に取り付けられる、請求項１２に記載のトレーニング手袋。
【請求項１５】
第２の形態であって、
第１の指関節、第２の指関節、および第３の指関節での小指の屈曲を形成する第２の屈曲小指整列ガイドと、
第１の指関節、第２の指関節、および第３の指関節での環指の屈曲を形成する第２の屈曲環指整列ガイドと、を含む第２の形態を更に備え、
これにより、前記第２の形態が、前記小指または環指のうちの少なくとも１つの前記掌側に取り付けられる、請求項１３に記載のトレーニング手袋。
【請求項１６】
前記小指、前記環指、および前記中指の先端部を曝露する複数の開口部を更に備える、請求項２に記載のトレーニング手袋。
【請求項１７】
親指切り抜き部を更に備える、請求項２に記載のトレーニング手袋。
【請求項１８】
人差し指切り抜き部を更に備える、請求項２に記載のトレーニング手袋。
【手続補正２】
【補正対象書類名】明細書
【補正対象項目名】０１１１
【補正方法】変更
【補正の内容】
【０１１１】
本発明の例示的な実施形態を説明してきたが、それらに対して修正および変更が可能であることは明らかであり、それらは全て、本発明の真の趣旨および範囲内にある。上記の説明および図面は、本発明から逸脱することなくなされ得る修正を例示するものであり、その範囲は、以下の特許請求の範囲によってのみ限定されるものとする。したがって、前述のものは、本発明の原理を例示するに過ぎないものとみなされる。更に、多数の修正および変更が当業者には容易に想起されるため、本発明を、示され説明される正確な構築物および動作に限定することは所望されず、したがって、全ての適切な修正および等価物が、主張される本発明の範囲内にあることが意図される。
（発明の開示）
（項目１）
美容シュガーリング脱毛手順を実行する間の、小指および小指先、環指および環指先、ならびに中指および中指先の適切な指の配置を教育するための指整列トレーニングデバイスであって、前記トレーニング手袋が、
第１の指関節、第２の指関節、および第３の指関節での小指の屈曲を形成する第１の屈曲小指整列ガイドを含む小指部分と、
第１の指関節、第２の指関節、および第３の指関節での環指の屈曲を形成する第１の屈曲環指整列ガイドを含む環指部分と、
第１の中指整列ガイドを含む中指部分と、を備え、
これにより、前記小指先、環指先、および中指先が離隔配置されるとき、前記屈曲小指整列ガイド、前記屈曲環指整列ガイド、および前記中指整列ガイドが、前記小指先、前記環指先、および前記中指先を線に沿って配置するように構成される、指整列トレーニングデバイス。
（項目２）
前記トレーニングデバイスが、トレーニング手袋である、項目１に記載の指整列トレーニングデバイス。
（項目３）
前記屈曲小指整列ガイド、前記屈曲環指整列ガイド、および前記中指整列ガイドが、別々の手袋の指挿入部である、項目２に記載の指整列トレーニング手袋。
（項目４）
第１の小指ポケットであって、前記第１の屈曲小指整列ガイドが、前記小指ポケットに挿入されるような、第１の小指ポケットを含む小指スリーブと、
第１の環指ポケットであって、前記第１の屈曲環指整列ガイドが、前記小指ポケットに挿入されるような、第１の環指ポケットを含む環指スリーブと、
第１の中指ポケットであって、前記第１の中指整列ガイドが、前記中指ポケットに挿入されるような、第１の中指ポケットを含む中指スリーブと、を更に備える、項目３に記載のトレーニング手袋。
（項目５）
前記第１の小指ポケット、前記第１の環指ポケット、および前記第１の中指ポケットが各々、前記トレーニング手袋の前記小指スリーブ、前記環指スリーブ、および前記中指スリーブの背側部分にそれぞれ設けられる、項目４に記載のトレーニング手袋。
（項目６）
前記第１の小指ポケット、前記第１の環指ポケット、および前記第１の中指ポケットが各々、前記トレーニング手袋の前記小指スリーブ、前記環指スリーブ、および前記中指スリーブの掌側部分にそれぞれ設けられる、項目４に記載のトレーニング手袋。
（項目７）
前記第１の屈曲小指整列ガイド、前記第１の屈曲環指整列ガイド、および前記中指整列ガイドが各々、前記トレーニング手袋の前記小指スリーブ、前記環指スリーブ、および前記中指スリーブの前記背側にそれぞれ設けられるポケットに挿入され、
第２の屈曲小指整列ガイドおよび第２の屈曲環指整列ガイドが各々、前記トレーニング手袋の前記小指部分および前記環指部分の前記掌側にそれぞれ設けられるポケットに挿入される、項目４に記載のトレーニング手袋。
（項目８）
小指スリーブであって、前記第１の屈曲小指整列ガイドが、前記小指スリーブの前記背側に取り外し可能に取り付けられる、小指スリーブと、
環指スリーブであって、前記第１の屈曲環指整列ガイドが、前記環指スリーブの前記背側に取り外し可能に取り付けられる、環指スリーブと、
中指スリーブであって、前記第１の中指整列ガイドが、前記中指スリーブの前記背側に取り外し可能に取り付けられる、中指スリーブと、を更に備える、項目２に記載のトレーニング手袋。
（項目９）
小指スリーブであって、前記第１の屈曲小指整列ガイドが、前記小指スリーブの前記掌側に取り外し可能に取り付けられる、小指スリーブと、
環指スリーブであって、前記第１の屈曲環指整列ガイドが、前記環指スリーブの前記掌側に取り外し可能に取り付けられる、環指スリーブと、
中指スリーブであって、前記第１の中指整列ガイドが、前記中指スリーブの前記掌側に取り外し可能に取り付けられる、中指スリーブと、を更に備える、項目２に記載のトレーニング手袋。
（項目１０）
小指スリーブであって、
前記第１の屈曲小指整列ガイドが、前記小指スリーブの前記背側に取り外し可能に取り付けられ、
第２の屈曲小指整列ガイドが、前記小指スリーブの前記掌側に取り外し可能に取り付けられる、小指スリーブと、
環指スリーブであって、
前記第１の屈曲環指整列ガイドが、前記環指スリーブの前記背側に取り外し可能に取り付けられ、
第２の屈曲小指整列ガイドが、前記小指スリーブの前記掌側に取り外し可能に取り付けられる、環指スリーブと、を更に備える、項目２に記載のトレーニング手袋。
（項目１１）
小指スリーブであって、前記第１の屈曲小指整列ガイドが、前記小指スリーブに貼り付けられる、小指スリーブと、
環指スリーブであって、前記第１の屈曲環指整列ガイドが、前記環指スリーブに貼り付けられる、環指スリーブと、
中指スリーブであって、前記第１の中指整列ガイドが、前記中指スリーブに貼り付けられる、中指スリーブと、を更に備える、項目２に記載のトレーニング手袋。
（項目１２）
前記第１の屈曲小指整列ガイド、前記第１の屈曲環指整列ガイド、および前記第１の中指整列ガイドが、第１の形態として設けられる、項目１に記載のトレーニングデバイス。
（項目１３）
前記第１の形態が、前記小指、環指、または中指のうちの少なくとも１つの前記背側に取り付けられる、項目１２に記載のトレーニングデバイス。
（項目１４）
前記第１の形態が、前記小指、環指、または中指のうちの少なくとも１つの前記掌側に取り付けられる、項目１２に記載のトレーニング手袋。
（項目１５）
第２の形態であって、
第１の指関節、第２の指関節、および第３の指関節での小指の屈曲を形成する第２の屈曲小指整列ガイドと、
第１の指関節、第２の指関節、および第３の指関節での環指の屈曲を形成する第２の屈曲環指整列ガイドと、を含む第２の形態を更に備え、
これにより、前記第２の形態が、前記小指または環指のうちの少なくとも１つの前記掌側に取り付けられる、項目１３に記載のトレーニング手袋。
（項目１６）
前記小指、前記環指、および前記中指の先端部を曝露する複数の開口部を更に備える、項目２に記載のトレーニング手袋。
（項目１７）
親指切り抜き部を更に備える、項目２に記載のトレーニング手袋。
（項目１８）
人差し指切り抜き部を更に備える、項目２に記載のトレーニング手袋。
（項目１９）
美容シュガーリング脱毛手順を実行するための技師の手および指配置を教育するためのトレーニング方法であって、
指整列トレーニングデバイスであって、
小指の第１の指関節、小指の第２の指関節、および小指の第３の指関節の屈曲を形成する第１の屈曲小指整列ガイドを含む、小指部分と、
環指の第１の指関節、環指の第２の指関節、および環指の第３の指関節の屈曲を形成する第１の屈曲環指整列ガイドを含む、環指部分と、
第１の中指整列ガイドを含む、中指部分と、を備え、
これにより、前記小指先、環指先、および中指先が離隔配置されるとき、前記屈曲小指整列ガイド、前記屈曲環指整列ガイド、および前記中指整列ガイドが、前記小指先、前記環指先、および前記中指先を線に沿って配置するように構成可能である、指整列トレーニングデバイスを準備することと、
前記第１の小指整列ガイドを所望の配向に構成することと、
前記第１の環指整列ガイドを所望の配向に構成することと、
前記第１の中指整列ガイドを所望の配向に構成することと、
前記指整列トレーニングデバイスを装着することと、
美容シュガーリング脱毛手順を実行する間、前記指整列トレーニングデバイスを着用することと、を含む、トレーニング方法。
（項目２０）
トレーニングデバイスを準備することが、
前記第１の屈曲小指整列ガイドと、
前記第１の屈曲環指整列ガイドと、
前記第１の中指整列ガイドと、を備える、トレーニング手袋を準備することを更に含む、項目１９に記載のトレーニング方法。
（項目２１）
トレーニング手袋を準備することが、
第１の小指ポケットを有する第１の小指スリーブを設けることと、
前記第１の屈曲小指整列ガイドを前記第１の小指ポケットに挿入することと、
第１の環指ポケットを有する第１の環指スリーブを設けることと、
前記第１の屈曲環指整列ガイドを前記第１の環指ポケットに挿入することと、
前記第１の小指整列ガイドを所望の配向に構成し、前記トレーニング手袋を装着した後に前記第１の環指整列ガイドを所望の配向に構成することと、を更に含む、項目２０に記載のトレーニング方法。
（項目２２）
第１の小指ポケットを前記小指部分に設けることが、
第１の小指ポケットを小指スリーブの背側部分に設けることを更に含む、項目２１に記載のトレーニング方法。
（項目２３）
第１の小指ポケットを前記小指部分に設けることが、
第１の小指ポケットを小指スリーブの掌側部分に設けることを更に含む、項目２１に記載のトレーニング方法。
（項目２４）
トレーニング手袋を準備することが、
第１の小指スリーブであって、
前記第１の小指スリーブの背側部分上の第１の小指ポケットと、
前記第１の小指スリーブの掌側部分上の第２の小指ポケットと、を有する、第１の小指スリーブを設けることと、
前記第１の屈曲小指整列ガイドを前記第１の小指ポケットに挿入することと、
第２の小指整列ガイドを前記第２の小指ポケットに挿入することと、
第１の環指スリーブであって、
前記第１の環指スリーブの背側部分上の第１の環指ポケットと、
前記第１の環指スリーブの掌側部分上の第２の環指ポケットと、を有する、第１の環指スリーブを設けることと、
前記第１の屈曲環指整列ガイドを前記第１の環指ポケットに挿入することと、
第２の環指整列ガイドを前記第２の環指ポケットに挿入することと、を更に含む、項目２１に記載のトレーニング方法。
（項目２５）
トレーニング手袋を準備することが、
前記第１の屈曲小指整列ガイドを小指背側部分に取り外し可能に取り付けることと、
前記第１の屈曲環指整列ガイドを環指背側部分に取り外し可能に取り付けることと、
前記第１の中指整列ガイドを中指背側部分に取り外し可能に取り付けることと、を更に含む、項目２０に記載のトレーニング方法。
（項目２６）
前記トレーニング手袋を装着した後に前記小指および第１の小指整列ガイドを屈曲することによって、前記小指整列ガイドを所望の配向に構成することと、
前記トレーニング手袋を装着した後に前記環指および第１の環指整列ガイドを屈曲することによって、前記環指整列ガイドを所望の配向に構成することと、を更に含む、項目２５に記載のトレーニング方法。
（項目２７）
トレーニング手袋を準備することが、
前記第１の屈曲小指整列ガイドを小指掌側部分に取り外し可能に取り付けることと、
前記第１の屈曲環指整列ガイドを環指掌側部分に取り外し可能に取り付けることと、
前記第１の屈曲中指整列ガイドを中掌側掌側部分に取り外し可能に取り付けることと、を更に含む、項目２０に記載のトレーニング方法。
（項目２８）
前記トレーニング手袋を装着した後に前記小指および第１の小指整列ガイドを屈曲することによって、前記小指整列ガイドを所望の配向に構成することと、
前記トレーニング手袋を装着した後に前記環指および第１の環指整列ガイドを屈曲することによって、前記環指整列ガイドを所望の配向に構成することと、を更に含む、項目２７に記載のトレーニング方法。
（項目２９）
トレーニング手袋を準備することが、
前記第１の屈曲小指整列ガイドを小指背側部分に取り外し可能に取り付け、第２の屈曲小指整列ガイドを小指掌側部分に取り外し可能に取り付けることと、
前記第１の屈曲環指整列ガイドを環指掌側部分に取り外し可能に取り付けることと、
第２の屈曲環指整列ガイドを環指掌側部分に取り外し可能に取り付けることと、更に含む、項目２０に記載のトレーニング方法。
（項目３０）
前記トレーニング手袋を装着した後に前記小指、前記第１の小指整列ガイド、および前記第２の小指ガイドを屈曲することによって、前記小指整列ガイドを所望の配向に構成することと、
前記トレーニング手袋を装着した後に前記環指、前記第１の環指整列ガイド、および前記第２の環指ガイドを屈曲することによって、前記環指整列ガイドを所望の配向に構成することと、を更に含む、項目２９に記載のトレーニング方法。
（項目３１）
トレーニング手袋を準備することが、
前記第１の屈曲小指整列ガイドを小指部分に貼り付けることと、
前記第１の屈曲環指整列ガイドを環指部分に貼り付けることと、
前記第１の屈曲中指整列ガイドを中指部分に貼り付けることと、を更に含む、項目２０に記載のトレーニング方法。
（項目３２）
前記第１の屈曲小指整列ガイド、前記第１の屈曲環指整列ガイド、および前記第１の中指整列ガイドが、第１の形態として設けられる、項目１９に記載のトレーニング方法。
（項目３３）
前記第１の形態が、前記小指、環指、または中指のうちの少なくとも１つの前記背側に取り付けられる、項目３２に記載のトレーニング方法。
（項目３４）
前記第１の形態が、前記小指、環指、または中指のうちの少なくとも１つの前記掌側に取り付けられる、項目３２に記載のトレーニング方法。
（項目３５）
トレーニング手袋を準備することが、
第２の形態であって、
第１の指関節、第２の指関節、および第３の指関節で小指の屈曲を形成する第２の屈曲小指整列ガイドと、
第１の指関節、第２の指関節、および第３の指関節で環指の屈曲を形成する第２の屈曲環指整列ガイドと、を含み、
これにより、前記第２の形態が、前記小指または環指のうちの少なくとも１つの前記掌側に取り付けられる、第２の形態を準備することを更に含む、項目３２に記載のトレーニング方法。
【国際調査報告】
2021517211.tif 000035